(57)【要約】      （修正有）【課題】マスク本体の正面部の全体に図柄部が表示されるようにして、意匠性を高めた衛生マスクを提供する。【解決手段】使用者が装着したときに前面に露出する正面部に、所定のキャラクタが描かれたキャラクタ部７と、所定の形状が描かれた模様部８とから成る図柄部９を、例えば昇華転写によって設ける。このマスク生地２の図柄部９が、マスク本体３の上下の縁部１０，１１及び左右方向の側縁部１２，１３を介して裏側に回り込むようにして折り畳み、その内側にフィルタを介装し、口当て部４を取り付けるとともに、紐部材６を取り付けて衛生マスク１０１を形成する。【選択図】図１
0003144813.tif 000002
【実用新案登録請求の範囲】
【請求項１】
空気中の塵や花粉等が呼吸に伴って侵入することを防いだり、のどや鼻の粘膜を外気から保護したりするために、使用者の鼻及び口の部分に当てる衛生マスクであって、
図柄部が設けられたマスク生地を折り畳み、前記図柄部を前面に配置させて形成されるマスク本体と、
前記マスク本体を使用者の耳や頭部に掛けるためにその左右方向の両端部に取り付けられる紐部材と、を備え、
前記マスク生地の図柄部の周縁部を裏面に回り込ませて折り畳むことにより、前記マスク本体の正面部の全体に前記図柄部が表示されるようにしたことを特徴とする衛生マスク。
【請求項２】
前記図柄部は、所定のキャラクタが描かれたキャラクタ部と、所定の形状が描かれた模様部のいずれか又はそれらの組合せであることを特徴とする請求項１に記載の衛生マスク。
【請求項３】
前記マスク生地における図柄部は、前記マスク本体の正面部よりも大きく、かつ前記マスク生地の全体よりも小さな範囲に設けられていることを特徴とする請求項１又は２に記載の衛生マスク。
【請求項４】
前記図柄部は、印刷、転写等の手段により、前記マスク生地に直接に設けられていることを特徴とする請求項１ないし３のいずれか１項に記載の衛生マスク。
【請求項５】
前記図柄部を裏側にしてマスク生地を折り、その上縁部と下縁部との重なり部分を縫合させて裏返すことにより、前記図柄部が前記マスク生地の前面に配置されることを特徴とする請求項１ないし４のいずれか１項に記載の衛生マスク。
【考案の詳細な説明】
【技術分野】
【０００１】
本考案は、空気中の塵や花粉等が呼吸に伴って侵入することを防いだり、のどや鼻の粘膜を外気から保護したりするために、使用者の鼻及び口の部分に当てる衛生マスクに関するものである。なお、本明細書の衛生マスクは、上記した目的のために使用されるものの他に、自身のくしゃみやセキ又は呼気を他人に感じさせないため等のエチケットやマナーとして使用されるものをも含むものとする。
【背景技術】
【０００２】
近時、スギ花粉を吸い込むことにより発症する花粉症を避けるため、或いはインフルエンザ等の空気感染性伝染病に感染することを低減するため、衛生マスクの需要が増大している。衛生マスクとして多数の出願が成されている（例えば、特許文献１を参照）。
【０００３】
衛生マスクは、編織布を重ね合わせたり、不織布を立体的に溶着したりして形成されている。従来の衛生マスクは、白を基調とした単色のものが多く、装着時にその正面部が露出されるのにも拘らず、意匠性に乏しいものであった。
【０００４】
例えば、特許文献２に開示された装飾用マスクのように、マスク本体の正面部に装飾部材を取り付けたものも存している。しかし、この技術では、別部材である装飾部材を後工程で取り付けているため、作業工数が多くなってしまう。また、マスク本体の正面部の全体に装飾部材を取り付けることは困難である。
【特許文献１】特開２００６−２３０９６２号公報
【特許文献２】実用新案登録第３０７４２２０号公報
【考案の開示】
【考案が解決しようとする課題】
【０００５】
本考案は、上記した事情に鑑み、マスク本体の正面部の全体に図柄部が表示されるようにして、衛生マスクの意匠性を高めることを課題としている。
【課題を解決するための手段及び考案の効果】
【０００６】
上記した課題を解決するための本考案は、
空気中の塵や花粉等が呼吸に伴って侵入することを防いだり、のどや鼻の粘膜を外気から保護したりするために、使用者の鼻及び口の部分に当てる衛生マスクであって、
図柄部が設けられたマスク生地を折り畳み、前記図柄部を前面に配置させて形成されるマスク本体と、
前記マスク本体を使用者の耳や頭部に掛けるためにその左右方向の両端部に取り付けられる紐部材と、を備え、
前記マスク生地の図柄部の周縁部を裏面に回り込ませて折り畳むことにより、前記マスク本体の正面部の全体に前記図柄部が表示されるようにしたことを特徴としている。
【０００７】
本に係る衛生マスクは、上記したように構成されていて、マスク本体の正面部の全体に図柄部が表示される。このため、衛生マスクの意匠性を高めることができ、ファッション性、デザイン性に優れたものとなる。しかも、本に係る衛生マスクでは、図柄部が、マスク本体３の正面部だけでなく、その周縁部から裏面部にまで回り込んで配置されるため、上下左右のいずれのから見たときにも図柄部が視認される。この結果、衛生マスクの意匠性が一層高められる。
【０００８】
前記図柄部は、所定のキャラクタが描かれたキャラクタ部と、所定の形状が描かれた模様部のいずれか又はそれらの組合せとすることができる。
【０００９】
前記マスク生地における図柄部は、前記マスク本体の正面部よりも大きく、かつ前記マスク生地の全体よりも小さな範囲に設けることができる。
【００１０】
これにより、図柄部の大きさを必要最小のものとできるため、マスク生地に図柄部を設けるためのコストを低減できる。
【００１１】
前記図柄部は、印刷、転写等の手段により、前記マスク生地に直接に設けることが望ましい。例えば、スクリーン印刷やグラビア印刷、或いは熱転写や昇華転写等である。
【００１２】
予め、マスク生地に直接に図柄部が設けられているため、後付けの場合と比較して軽量化できるとともに、洗濯等によって図柄部が分離してしまうおそれがない。
【００１３】
そして、前記図柄部を裏側にしてマスク生地を折り、その上縁部と下縁部との重なり部分を縫合させて裏返すことにより、前記図柄部が前記マスク生地の前面に配置される。
【００１４】
例えば、ポリエステルのように軽量であるが伸縮性の高いマスク生地を使用する場合、その上縁部と下縁部との重なり部分を縫合することにより、マスク生地が伸びたり縮んだりすることを防止できる。また、裏返すことにより、重なり部分（縫目の部分）がマスク生地の内側に配置されるので、装着時に鼻を圧迫しにくくなる。なお、このときに、筒状に形成された前記マスク生地の内側にフィルタを介装させてもよい。筒状のマスク生地の内側にフィルタを介装させることにより、フィルタを分離させにくくできる。
【考案を実施するための最良の形態】
【００１５】
本考案の実施例について説明する。図１は第１実施例の衛生マスク１０１の正面図、図２は図１のＸ−Ｘ線断面図、図３は装着状態の衛生マスク１０１の斜視図である。
【実施例１】
【００１６】
第１実施例の衛生マスク１０１について説明する。図１ないし図３に示されるように、第１実施例の衛生マスク１０１は、フィルタ１を介装させたマスク生地２（図４参照）を折り畳んで形成したマスク本体３の裏面部に口当て部４を一体に縫合し、かつマスク本体３における横方向（左右方向）の両端部に形成された筒状部５にそれぞれ紐部材６を通し、それらの両端部を結んで成る。フィルタ１は、例えばポリエステルより成り、マスク生地２は、例えば白地のポリエステルより成り、口当て部４は、例えばガーゼ（綿糸（コットン）を、目を粗くして織った柔らかい布）より成る。また、紐部材６は、例えばウーリー糸のように伸張自在な材質より成る。この紐部材６はリング状になっていて、使用者の耳に引っ掛けられるようになっている。
【００１７】
第１実施例の衛生マスク１０１の正面部（人体に装着したときに、外部に露出する部分）には、キャラクタ部７とその周囲に設けられた模様部８と備える図柄部９が設けられている。第１実施例の衛生マスク１０１の場合、キャラクタ部７を、「ハート」、「スペード」、「クラブ」、「ダイヤ」の４つのマークで表示し、模様部８を砂地模様で表示している。このため、マスク本体３の正面部の全体に図柄部９を配置でき、遠方からでも図柄部９が視認される。この結果、衛生マスク１０１の意匠性を高めることができ、ファッション性、デザイン性に優れたものとなる。しかも、本実施例の衛生マスク１０１の場合、マスク本体３の正面部だけでなく、その上下の縁部１０，１１、及び左右の側縁部１２，１３を介して裏面部にまで図柄部９が回り込んで配置されている。図２において、図柄部９が配置されている部分を一点鎖線で示す。このため、本実施例の衛生マスク１０１を正面から見たときだけでなく、上下の側又は左右の側から見たときにも図柄部９が視認される。また、本実施例の衛生マスク１０１の使用者自身がマスク本体３の上縁部１０を見た場合にも、図柄部９を視認できる。この結果、衛生マスク１０１の意匠性が一層高められる。
【００１８】
第１実施例の衛生マスク１０１の製法について説明する。図４の（ａ），（ｂ）に示されるように、予め、マスク生地２の上端部１４と下端部１５とを除く部分に、図柄部９が昇華転写により設けられている。このマスク生地２を、縦方向（高さ方向）のほぼ中央部で二つ折りする。このとき、高さ方向のほぼ中央部を折線１６とし、マスク生地２の下端部１５を手前側に持ち上げて上端部１４と重なるように谷折りし、図柄部９が内側に配置されるようにする。そして、図５に示されるように、マスク生地２の上端部１４と下端部１５の重なり部分を縫合する。図５において、縫目１７を破線で示す。これにより、マスク生地２は筒形状となる。なお、口当て部４を縫合せず、マスク生地２に重ねるだけであってもよい。また、図柄部９は、印刷（スクリーン印刷、グラビア印刷）や熱転写によって設けてもよい。
【００１９】
次に、図６の（ａ），（ｂ）に示されるように、この状態のマスク生地２を裏返して、縫目１７を裏面における高さ方向のほぼ中央部に配置する。すると、マスク生地２の前面（装着状態における正面部）に図柄部９が配置される。また、マスク生地２における上端部１４と下端部１５の重なり部分（縫目１７の部分）が内側に配置される。人体に装着したときに、それらの重なり部分はマスク生地２を介して鼻を押圧し、直接に鼻を押圧することが回避される。このため、重なり部分によって使用者が不快感を感じることはない。このとき、図柄部９は、筒形状のマスク生地２の上縁部１０及び下縁部１１を介してマスク生地２の裏面部に回り込んで配置される。即ち、図柄部９はマスク生地２の前面だけでなく、その上縁部１０及び下縁部１１にも配置される。図６の（ｂ）において、図柄部９が配置されている部分を一点鎖線で示す。そして、筒形状のマスク生地２の内側にフィルタ１が挿入される。
【００２０】
続いて、図７に示されるように、筒形状のマスク生地２の左右方向の両端部を、２枚重ねのまま裏面側に向けて折り畳む。このとき、左右方向の先端部をいったん折り畳んで重ね、その状態で更に折り畳む。そして、マスク生地２の裏面部と、折り畳まれた部分（左右方向の両端部）との間に口当て部４の両端部を配置し、フィルタ１とマスク生地２と口当て部４との重なり部分を縫合し、マスク本体３を形成する。図７において、このとき形成された縫目１８を一点鎖線で示す。
【００２１】
図１及び図２に示されるように、マスク本体３の両端部に設けられた筒状部５に、それぞれ紐部材６を通す。各紐部材６の両端部を結んでリング形状とし、それらの結び目１９をずらして筒状部５に隠す。これにより、マスク本体３の正面部の全体、その上縁部１１と下縁部１２、及び左右方向の両端部１３，１４に図柄部９が配置された衛生マスク１０１が形成される。
【実施例２】
【００２２】
第２実施例の衛生マスク１０２は、マスク生地２０として、例えば綿布のように伸張しにくい生地を使用した場合である。ここで、上記した第１実施例の衛生マスク１０１は、ポリエステルより成るマスク生地２を折り畳んで形成されている。ポリエステルは、軽くて保温性が高いことに加えて、伸張性に富むという特質を有する。このため、ポリエステルより成るマスク生地２を折り畳んだとき（図４参照）、マスク生地２の上端部１４と下端部１５との重なり部分を縫合する必要がある。しかし、第２実施例の衛生マスク１０２のように、マスク生地２０として綿布を使用すれば、マスク生地２０の重なり部分を抱合することは不要である。即ち、第２実施例の衛生マスク１０２では、図８に示されるように、マスク生地２０の上端部１４と下端部１５を、フィルタ１を介装させて裏側に折り畳むだけで済む。そして、第２実施例の衛生マスク１０２においても、図柄部９を、マスク本体３の前面だけでなく、上縁部１１と下縁部１２、及び左右方向の両端部１３，１４に配置することができ。なお、第２実施例の衛生マスク１０２の正面形状は、第１実施例の衛生マスク１０１の正面形状と同一である（図１参照）。
【００２３】
本に係る衛生マスク１０１，１０２では、マスク本体３の正面部の全体に図柄部９が表示される。これにより、衛生マスク１０１，１０２の意匠性が高まる。キャラクタ部７や模様部８に描かれるキャラクタや模様（形状が描かれず、色だけのものを含む。）は、いかなるものであってもよい。また、キャラクタの全体でなく、その一部であってもよい。例えば、著名なキャラクタの口の部分だけを描くことにより、当該衛生マスク１０１，１０２の使用者が、そのキャラクタに変身した気分を味わうことができる。
【図面の簡単な説明】
【００２４】
【図１】第１実施例の衛生マスク１０１の正面図である。
【図２】図１のＸ−Ｘ線断面図である。
【図３】装着状態の衛生マスク１０１の斜視図である。
【図４】マスク生地２の展開図である。
【図５】折り畳んだ状態のマスク生地２を示す図である。
【図６】（ａ）は裏返した状態のマスク生地２の正面図であり、（ｂ）は（ａ）の側面図である。
【図７】横方向の両端部を折り返す状態の作用説明図である。
【図８】（ａ）、（ｂ）は、第２実施例の衛生マスク１０２のマスク生地２０を折り畳む工程を示す図である。
【符号の説明】
【００２５】
１０１，１０２  衛生マスク
１  フィルタ
２，２０  マスク生地
３  マスク本体
４  口当て部
５  筒状部（左右方向の両端部）
６  紐部材
７  キャラクタ部
８  模様部
９  図柄部
１０  上縁部
１１  下縁部
【図１】
0003144813.tif 000003
【図２】
0003144813.tif 000004
【図３】
0003144813.tif 000005
【図４】
0003144813.tif 000006
【図５】
0003144813.tif 000007
【図６】
0003144813.tif 000008
【図７】
0003144813.tif 000009
【図８】
0003144813.tif 000010